(57)【要約】【課題】上蓋の開栓と封止部の開封とを同時に行うことができる利便性とタンパーエビデント性における明示性とに優れた紙パック用キャップを提供する。【解決手段】注出筒１１ｂの下端から外方に延びる容器開口部縁Ｓ１に固着されるフランジ部１１ａとを有するキャップ本体１１と、天面壁１２ａと側壁１２ｂとからなりキャップ本体１１にヒンジ１３を介して連結されている上蓋１２と、注出筒１１ｂの内面または下端から下方に延びるカッター片１１ｃと、容器開口部Ｓ０を封止する封止層１４にその下端が溶着されるインナーリング１２ｃとを有するようにキャップ１０を構成する。【選択図】  図３
2008050054.tif 000002
【特許請求の範囲】
【請求項１】
注出筒と該注出筒の下端から外方に延びるフランジ部とを有するキャップ本体と、天面壁と該天面壁の周縁から垂下する側壁とからなり前記キャップ本体にヒンジを介して連結されている上蓋とからなるキャップにおいて、
前記フランジ部は容器開口部縁に固着され、
前記キャップ本体は前記注出筒の内面または下端から下方に延びるカッター片を備え、
前記上蓋はその天面壁の内面から垂下するインナーリングを備え、
該インナーリング下端は容器開口部を封止する封止層に溶着され、キャップ開封時において前記上蓋を持ち上げたときに前記インナーリングの下端に溶着した封止層が持ち上げられ、前記カッター片により封止層が破断されるようにしたことを特徴とする、紙パック用キャップ。
【請求項２】
該カッター片は該インナーリングの下端外周縁に沿って近接配設されていることを特徴とする請求項１記載のキャップ。
【請求項３】
該インナーリング及び該カッター片の下面はヒンジ方向及びヒンジ方向と反対側の箇所が尖った形状に形成されており、キャップ開封時において前記上蓋を持ち上げたときに容器開口部を封止する封止層の破断を容易にするようにしたことを特徴とする請求項１又は２記載のキャップ。
【請求項４】
前記上蓋はヒンジと反対側の側壁の下端に切欠孔が形成され、該側壁の該切欠孔内には弱化部を介してタンパーエビデント片が形成され、該タンパーエビデント片の先端部が前記フランジ部に形成された係止用孔に嵌合されていることを特徴とする請求項１乃至３記載のキャップ
【発明の詳細な説明】
【技術分野】
【０００１】
本発明は、飲料などを収容する紙パックに適用されるキャップに関するものであり、詳しくは紙パックなどの容器の注出口に装着されるキャップ本体に上蓋がヒンジ連結されているキャップにおいて、その開封の利便性に優れた紙パック用キャップに関する。また、タンパーエビデント部分における明示性とに優れた紙パック用キャップに関する。
【背景技術】
【０００２】
紙パックなどの液体容器に装着して用いられるヒンジキャップは、その開栓閉栓がワンタッチででき、頻繁に容器の内容物を使用する場合に便利であり、上蓋が外れて落下したり紛失することもないため、食用油、調味料など頻繁に利用するものを収容する容器のキャップとして広く使われている。そして、多くの場合、キャップが取り付けられる容器の開口部にはシール状の封止部が設けられ、初回使用（開封）時にユーザがこの密封状態を解除することで中身が注出できるようになっている。このような封止部やその構造に関連して例えば以下のようなものが開示されている。
【０００３】
特許文献１には、閉鎖可能なキャップの開口装置であって、その封止部の切断手段となる単一カッターが、軸線方向に突出する切断部分を有しており、前記切断部分の軸線方向高さよりも大きな所定の軸線方向押し込み量をもって穿孔可能部分の周辺に沿って移動可能にしたものが記載されている。
【０００４】
特許文献２には、容器開口部に装着されるキャップ本体の周側面に設けられたヒンジ部を介して開閉自在に取り付けられた外蓋と、易切断溝によって取り除き可能な注出口形成用取り除き部と、前記注出口形成用取り除き部の一端側に支柱を介して取り付けられ前記易切断溝を破断するためのプルリングと、を備えた合成樹脂製キャップが記載されている。
【０００５】
また、特許文献３にはヒンジキャップにタンパーエビデント性を付与するものとして、閉じられた上蓋の開封用鍔部が位置する部分に、その先端外周部分を覆う帯状カバー部材が破断可能な弱化線乃至スコアを介して連結されており、キャップ本体の外周縁に設けられた薄肉の突片によってカバーされるようにしたヒンジキャップが記載されている。
【特許文献１】特開２００１−１０６２４８号公報
【特許文献２】特開２００６−６２６９０号公報
【特許文献３】特開２００４−１７５４３６号公報
【発明の開示】
【発明が解決しようとする課題】
【０００６】
ところが、前記従来のキャップやヒンジキャップにおいては、その封止部を開封する際に握力やテクニックを要し、子供や高齢者などではその操作を容易に行い難いという問題があった。
特に特許文献１のキャップは、初期開栓時に穿孔可能部分の周辺に沿ってカッターを移動可能にしているので、その切断部分の食い込みが浅くなる場合があって、確実に開口部を形成しにくいという問題があった。また、特許文献２の合成樹脂製キャップはユーザがそのプルリングを直接引っ張ることで易切断溝を開封するので、ヒンジキャップの開栓動作と封止部の開封動作とを同時に行えず、利便性に欠ける問題があった。さらに特許文献３のタンパーエビデント性を有したヒンジキャップは、開封されたことを示す弱化線乃至スコアの状態がカバー部分に隠れて見えにくくなるという問題があった。
【０００７】
本発明は上記問題点に鑑みてなされたものであり、握力やテクニックを要することなく、子供や高齢者などでも開封操作を容易かつ確実に行うことができ、封止部の開封と開栓を同時に行うことができる利便性と、タンパーエビデント部分における明示性とに優れた紙パック用キャップを提供することを目的とする。
【課題を解決するための手段】
【０００８】
本発明の請求項１のキャップは、注出筒と該注出筒の下端から外方に延びるフランジ部とを有するキャップ本体と、天面壁と該天面壁の周縁から垂下する側壁とからなり前記キャップ本体にヒンジを介して連結されている上蓋とからなるキャップにおいて、前記フランジ部は容器開口部縁に固着され、前記キャップ本体は前記注出筒の内面または下端から下方に延びるカッター片を備え、前記上蓋はその天面壁の内面から垂下するインナーリングを備え、該インナーリング下端は容器開口部を封止する封止層に溶着され、キャップ開封時において前記上蓋を持ち上げたときに前記インナーリングの下端に溶着した封止層が持ち上げられ、前記カッター片により封止層が破断されるようにしたことを特徴とする。
請求項２のキャップは、請求項１において、カッター片はインナーリングの下端外周縁に沿って近接配設されていることを特徴とする。
請求項３のキャップは、請求項１又は２において、該インナーリング及び該カッター片の下面はヒンジ方向及びヒンジ方向と反対側の箇所が尖った形状に形成されており、キャップ開封時において前記上蓋を持ち上げたときに容器開口部を封止する封止層の破断を容易にするようにしたことを特徴とする。
請求項４のキャップは、請求項１〜３のいずれかにおいて、上蓋はヒンジと反対側の側壁の下端に切欠孔が形成され、該側壁の該切欠孔内には弱化部を介してタンパーエビデント片が形成され、該タンパーエビデント片の先端部が前記フランジ部に形成された係止用孔に嵌合されていることを特徴とする。
【発明の効果】
【０００９】
本発明によれば、上蓋の天面壁の内面から垂下するインナーリング下端が容器開口部を封止する封止層に溶着され、前記上蓋を持ち上げたときに、注出筒の内面または下端から下方に延びるカッター片により封止層が破断されるので、過大な握力やテクニックを要することなく、子供や高齢者などが開封操作を容易かつ確実に行うことができるとともに、その封止部の開封と上蓋の開栓とを同時に行うことができる利便性に優れたキャップを提供することができる。
【発明を実施するための最良の形態】
【００１０】
本実施形態のキャップは、注出筒と注出筒の下端から外方に延びる容器開口部縁に固着されるフランジ部とを有するキャップ本体と、天面壁と天面壁の周縁から垂下する側壁とからなりキャップ本体にヒンジを介して連結されている上蓋と、注出筒の内面または下端から下方に延びるカッター片と、容器開口部を封止する封止層と、上蓋の天面壁の内面から垂下してその下端が封止層に溶着されるインナーリングとを有して構成され、キャップ開封時において上蓋を持ち上げたときにインナーリングの下端に溶着した封止層が持ち上げられ、カッター片により封止層を破断することができ、子供や高齢者などがその開封操作を容易かつ確実に行うことができるとともに、上蓋部分の開栓操作と封止層を引き裂いて開封する動作とを同時に行うことができる。
【００１１】
このようなキャップは、例えば、酒、調味料、ドレッシングなどの液体を収容した紙パックの注出口に適用され、合成樹脂製を素材として成形される。このような合成樹脂としては、各種密度のポリエチレン、ポリプロピレン、熱可塑性ポリエステル、ポリアミド、スチレン系樹脂、ＡＢＳ樹脂等が一般に使用される。この合成樹脂を用いて射出成形、圧縮成形等の一体成形により上蓋とキャップ本体とが一体となったキャップを製造することができる。なお、上蓋やキャップ本体などの部材をそれぞれ別体に成形して、これを組み合わせることでキャップとすることも可能である。
【００１２】
キャップ本体は、略円筒状に形成された注出筒と注出筒の下端から外方に延びて容器開口部縁に固着されるフランジ部とを有しており、このフランジ部が紙パックなどの容器開口部縁に加熱による融着や接着剤を用いた接着などにより固着されるようになっている。
【００１３】
上蓋は、天面壁と天面壁の周縁から垂下する側壁とからなり、キャップ本体にヒンジを介して開閉自在に連結され、その閉栓状態においてキャップ本体の注出筒に覆設され、開栓状態において注出筒を介して液体容器に保持された液体を注出できるようになっている。
【００１４】
カッター片は、注出筒の内面または下端から下方に延びるように備えられ、その下面はエッジ刃を具備した切断用部材であり、上蓋の閉栓状態では封止層に当接しているか所定の間隔を有して配置されている。
【００１５】
封止層は、紙パックにおける円形状などに形成された容器開口部を封止するためのシール部であり、ポリエチレンのようなプラスチックフィルムから作られている。なお、ポリエチレンフィルムに酸素バリヤ効果を付与するために、容器内側にアルミ箔などをラミネートした複層構造の封止層が適用される。なお、開封性を考慮すると封止層の厚みとしては０.０１〜０．１ｍｍ程度のものが好ましい。
【００１６】
インナーリングは、上蓋の天面壁の内面から垂下してその下端が封止層に溶着されている。これによって、キャップ本体にヒンジ結合された上蓋を開栓する操作に伴って、封止層の溶着部分を引き上げることができるようになっている。
【００１７】
また、本実施形態のキャップにおいては、カッター片はインナーリングの下端外周縁に沿って近接配設されるようにしてもよい。これによって、上蓋の開栓操作に伴う封止層の開封をさらに確実に行うことができる。
【００１８】
封止層に溶着されているインナーリングの下端、及び、開栓時において封止層に当接するカッター片の形状は、封止層に対向して略円形状に形成されている。
さらに、本実施形態のキャップにおいては、インナーリング及びカッター片の下面はヒンジ方向及びヒンジ方向と反対側の箇所が尖った形状に形成することが好ましい。これによって、キャップ開封時において上蓋を持ち上げたときにその引き裂き力をこの尖った部分に集中させることができ、容器開口部を封止する封止層の破断をさらに容易にすることができる。
【００１９】
本実施形態のキャップにおいては、上蓋はヒンジと反対側の側壁の下端に切欠孔が形成され、該側壁の該切欠孔内には弱化部を介してタンパーエビデント片が形成され、該タンパーエビデント片の先端部が前記フランジ部に形成された係止用孔に嵌合するようにしている。上蓋の最初の開封によって弱化部が切断されたタンパーエビデント片の先端部が係止用孔に残っていることが視認できるので、タンパーエビデント表示をより効果的かつ確実に行うことができ、安全性をさらに高めることができる。本発明では、このようにタンパーエビデント片を係止用孔に嵌合させて、最初の開封によって弱化部を切断させてタンパーエビデント片の先端部を係止用孔に残すことにより開封視認性を増す機能を「タンパーエビデント性」という。
【実施例】
【００２０】
図１は、本実施例のキャップが装着された紙パックの正面図であり、図２はキャップの正面図であり、図３はキャップの側面断面図であり、図４はその開栓状態における上蓋の底面図である。以下図面を参照して本実施例のキャップについて説明する。
【００２１】
図１〜図４において、本実施例のキャップ１０は、紙パックＳの容器開口部縁Ｓ１にフランジ部１１ａを介して固着されるキャップ本体１１に、開栓閉栓自在の上蓋１２がヒンジ１３を介して連結されている。
キャップ本体１１は、その中央に略円筒状の注出筒１１ｂを有しており、その注出筒１１ｂの内面または下端から下方に延びるようにカッター片１１ｃが形成されている。
上蓋１２は、天面壁１２ａと、その天面壁１２ａの周縁から垂下する側壁１２ｂと、側壁１２ｂの内面から垂下するインナーリング１２ｃを有している。
さらに、インナーリング１２ｃの下端が容器開口部Ｓ０を封止するための封止層１４に溶着されるとともに、その外側周囲に近接してカッター片１１ｃが配設されるている。
【００２２】
紙パックＳは、図１に示すように、例えば、紙基材などの内側に、ポリエチレン樹脂とアルミ箔をラミネートしたパッケージ材を折り曲げ、密閉することにより形成され、ガスバリア性に優れている。
【００２３】
封止層１４は、インナーリング１２ｃ側に樹脂層が設けられたアルミ箔とのラミネート材であって、紙パックの紙基材を剥離して内側のラミネート材を露出させたものであるが、別途ラミネート材を、紙パックＳの容器開口部Ｓ０を覆うように形成してもよい。例えば、紙パックＳにおける紙などのパッケージ材を予め除去した容器開口部Ｓ０の内側から、樹脂側を外側にして接着剤を介して貼り付けられ、もしくは熱溶着により覆設されて密封される。
封止層１４と溶着されるインナーリング１２ｃの下面はその溶着部分が略円形状となるが、図４に示すように、ヒンジ１３の方向及びヒンジ方向と反対側の箇所は尖った形状、いわゆる「桃の頭」のような形状に形成されている（図４参照）。
【００２４】
図５は、キャップ開封時において上蓋１２を持ち上げたときにインナーリング１２ｃの下端に溶着した封止層１４を持ち上げてカッター片１１ｃにより封止層１４を破断する様子を示す概略断面図であり、（ａ）は開封初期、（ｂ）は完全開封時の断面図である。
開封時において、上蓋１２を持ち上げると、まずインナーリング１２ｃの下端に溶着した封止層１４が持ち上げられ、インナーリング１２ｃの溶着面の外周側にインナーリング１２ｃと相似形状に設けられているカッター片１１ｃにより、図５（ａ）に示すように、封止層１４が破断される。さらに、上蓋１２を持ち上げると、（ｂ）に示すように、係止孔１１ｄに拘束されているタンパーエビデント片１６が弱化部１５で切断される。
【００２５】
図６は、一旦開封されたキャップの上蓋を閉栓した状態を示す断面図である。一旦開封されたキャップは、タンパーエビデント片１６が係止孔１１ｄに残留した状態になっている。
【００２６】
この状態を次に詳しく説明する。図７は、タンパーエビデント片を連結する弱化部の破断状態を示す説明図であり、（ａ１）は開封前の状態を示す正面図であり、（ａ２）は（ａ１）Ｘ−Ｘ断面図であり、（ｂ１）は一旦開封し閉栓した後の状態を示す正面図であり、（ｂ２）は（ｂ１）Ｙ−Ｙ断面図である。
図示するように、上蓋１２は、ヒンジ１３と反対側となる側壁１２ｂの下端の一部を切り欠いた切欠孔１２ｄを形成し、その切欠孔１２ｄで挟まれる部分を、弱化部１５を介してタンパーエビデント片１６として形成し、その先端をフランジ部１１ａに形成された係止用孔１１ｄに嵌合するようにした。すなわち、未開封時においてはタンパーエビデント片１６が係止用孔１１ｄに嵌合されており、開封時において弱化部１５が切断され、タンパーエビデント片１６はキャップ本体１１の係止用孔１１ｄ内へ落下する。
したがって、開封前のキャップの外観状態を示す図７（ａ１）と、一旦開封し閉栓した後の外観状態を示す図７（ｂ１）とを比較すれば分かるように、タンパーエビデント片１６が落下していることが視認できるので、封止層１４が破断されていることが容易に確認することができる。
【００２７】
なお、カッター片１１ｃの形状は、図８の拡大図（ａ）に示すように、注出筒１１ｂの内面から下方に延びるように形成されているもの、（ｂ）に示すように注出筒１１ｂの下端から下方に延びるように形成されているもの、などがある。
【００２８】
以上説明したように、本発明のキャップは、上蓋のインナーリング下端を容器開口部を封止する封止層に溶着して、キャップ本体の注出筒に設けたカッター片により封止層が破断されるようにしてその封止層の開封操作を確実に行うことができるようにしたことを要旨とするものであり、これに該当するものは本発明の権利範囲に属する。例えば、本実施例においては、液体容器として紙パックからなる容器に適用されるキャップについて説明したが、本発明はこれらに限定されることなく、合成樹脂製やガラス製、テトラポットタイプなどの容器にも適用でき、その上蓋の開栓と封止部の開封とを同時に行うことができる利便性に優れたキャップとすることができる。
【産業上の利用可能性】
【００２９】
本発明のキャップは、上蓋を持ち上げたときに、注出筒の内面または下端から下方に延びるカッター片により容易に封止層を破断できるので、過大な握力やテクニックを要することなく、子供や高齢者などが開封操作を容易かつ確実に行うことができるとともに、その封止部の開封と開栓とを同時に行うことができる利便性に優れ、産業上の利用可能性が極めて大きい。
【図面の簡単な説明】
【００３０】
【図１】本実施例のキャップが装着された紙パックの正面図である。
【図２】本実施例のキャップの正面図である。
【図３】本実施例のキャップの側面断面図である。
【図４】上蓋開栓状態を示す上蓋の底面図である。
【図５】キャップ開封時において上蓋を持ち上げたときにインナーリングの下端に溶着した封止層を持ち上げてカッター片により封止層を破断する様子を示す概略断面図であり、（ａ）は開封初期、（ｂ）は完全開封時の断面図である。
【図６】一旦開封されたキャップの上蓋を閉栓した状態を示す断面図である。
【図７】タンパーエビデント片を連結する弱化部の破断状態を示す説明図であり、（ａ１）は開封前の状態を示す正面図、（ａ２）は（ａ１）Ｘ−Ｘ断面図、（ｂ１）は一旦開封し閉栓した後の状態を示す正面図、（ｂ２）は（ｂ１）Ｙ−Ｙ断面図である。
【図８】カッター片の種々の形状を示す拡大断面図である。
【符号の説明】
【００３１】
１０      キャップ
１１      キャップ本体
１１ａ    フランジ部
１１ｂ    注出筒
１１ｃ    カッター片
１１ｄ    係止用孔
１２      上蓋
１２ａ    天面壁
１２ｂ    側壁
１２ｃ    インナーリング
１２ｄ    切欠孔
１３      ヒンジ
１４      封止層
１５      弱化部
１６      タンパーエビデント片
Ｓ        紙パック（液体容器）
Ｓ０      容器開口部
Ｓ１      容器開口部縁
【図１】
2008050054.tif 000003
【図２】
2008050054.tif 000004
【図３】
2008050054.tif 000005
【図４】
2008050054.tif 000006
【図５】
2008050054.tif 000007
【図６】
2008050054.tif 000008
【図７】
2008050054.tif 000009
【図８】
2008050054.tif 000010